(57)【要約】【課題】災害復旧時の仮設電柱杭等を容易に立設できるようにする。【解決手段】先端側に螺旋状の掘削刃を有する、地中に鉛直状に埋設されるアンカと、そのアンカの上端側に装着される棒状の継ぎ金具と、その継ぎ金具に装着される棒状体と、からなることを特徴とする柱状物構造。【選択図】　　　図１
2004084270.tif 000002
【特許請求の範囲】
【請求項１】
先端側に螺旋状の掘削刃を有する、地中に鉛直状に埋設されるアンカと、
前記アンカの上端側に装着される棒状の継ぎ金具と、
前記継ぎ金具に装着される棒状体と、
からなることを特徴とする柱状物構造。
【請求項２】
請求項１に記載の柱状物構造において、継ぎ金具に装着される棒状体はパイプ材からなり、そのパイプ材は継ぎ金具に挿入して装着されるものであることを特徴とする柱状物構造。
【発明の詳細な説明】
【０００１】
【発明の属する技術分野】
本発明は、災害復旧時の仮設電柱杭等のような柱状物を簡単に立設することができるようにした柱状物構造に関する。
【０００２】
【従来の技術】
本出願人は、先に、特願２００２−１４６０３４及び同１４６０４６において、電線や電話線用の電柱を簡単に立設することができる柱状物構造を提案している。これら提案に係る柱状物構造は、穴掘建柱車を利用して下部先端に螺旋状の掘削刃を有するアンカを地中に埋設するとともに、そのアンカの上部に電柱が挿入される筒状体を埋設した構造を呈している。
【０００３】
【発明が解決しようとする課題】
上記提案に係る柱状物構造は、土質に影響を受けることなく、また、根かや根巻き等を必要とせずに電柱の安定化を図ることができるという特長がある。しかし、これら提案に係る柱状物（電柱）は、恒久的な本格的なものであり、災害復旧時用や工事現場等の比較的短期間しか使用されない仮設電柱杭には過剰設備となる欠点があった。
【０００４】
そこで、本発明は、上記欠点を解決するためになされたものであって、その目的は、災害復旧時の仮設電柱杭のように比較的短期間しか用いられない柱状物を簡単に立設し、また、撤去することのできる柱状物を提供することにある。
【０００５】
【課題を解決するための手段】
本発明に係る柱状物構造は、上記目的を達成するために、請求項１に記載の発明は、先端側に螺旋状の掘削刃を有する、地中に鉛直状に埋設されるアンカと、そのアンカの上端側に装着される棒状の継ぎ金具と、その継ぎ金具に装着される棒状体と、からなることを特徴としている。
本発明に係る柱状物構造は、上記目的を達成するために、請求項２に記載の柱状物構造は、継ぎ金具に装着される棒状体はパイプ材からなり、そのパイプ材は継ぎ金具に挿入して装着されるものであることを特徴としている。
【０００６】
【発明の実施の形態】
以下、本発明の実施の形態を図面に基づいて説明する。図１（ａ）は、一実施の形態に係る柱状物構造の斜視図、同図（ｂ）は、その分解斜視図である。
【０００７】
図中、１はアンカであり、１０は継ぎ金具であり、そして、２０は本発明の棒状体に当るパイプ材である。アンカ１は、本出願人が、先に、特開２０００−１８５０号、同２００１−５９２２１号、同２００１−１８２０５８号等で提案している地中アンカと同様のものである。このアンカ１は、鋳鉄製からなり、先細りの軸部２の周囲に螺旋状の掘削刃３が所定の間隔を保って複数個（図示の例では４個）設けられている。これら掘削刃３，３…のうち、上部側ほど掘削刃３の直径が大きくなるように決められている。そして、その軸部２の上端側（先細りと反対側）には、最も大きな掘削刃３の大きさとほぼ同じ大きさのフランジ４が設けられているとともに、そのフランジ４の上側中央部には、継ぎ金具１０に接続するための角柱部５が設けられている。
【０００８】
上記アンカ１の先細りの先端部には、硬質の地面Ｇにも対処できるように、超硬金属からなるドリル部を設けることもでき、また、掘削刃３の外周を尖鋭に形成するようにしてもよい。また、軸部２の長さ及び掘削刃３の個数は、地面Ｇの性情によって適宜決めることができる。
【０００９】
継ぎ金具１０は、鋼製の棒状からなり、その長さ及び太さは、挿入されるパイプ材２０を安定して保持できるように決められている。そして、その継ぎ金具１０の下部は、低面が上記アンカ１のフランジ４の平面とほぼ同じとなるようなラッパ状に形成されていて、その低面には、上記アンカ１の角柱部５が挿入できる角穴１１が設けられている。また、継ぎ金具１０の上端部中央には、図示しない回転機械に接続される工具ａに設けられている角穴ａ′に挿入される角柱部１２が設けられている。
【００１０】
なお、工具ａを接続する回転機械としては、土木機械のバックホーを利用することができる。このバックホーを利用するときは、そのショベルを外し、その外した後に油圧モータを取付け、その油圧モータの回転軸に工具ａが取付けられる。
【００１１】
パイプ材２０は、鋼製からなり、その長さは、例えば仮設電柱杭として必要とする長さに決められている。そして、そのパイプ材２０の内径は、上記継ぎ金具１０に隙間なく挿入できるように、つまりガタ付かずに挿入できるように決められている。
【００１２】
上記構成の柱状物構造を施工するには、先ず、アンカ１の角柱部５が継ぎ金具１０の角穴１１に挿入され、その角柱部５及び角穴１１にそれぞれ設けられているピン孔５，１１′に図示しないピンが挿入されてアンカ１及び継ぎ金具１０が一体化される。次いで、継ぎ金具１０の角柱部１２が工具ａの角穴ａ′にそれぞれ設けられているピン孔１２′，ａ″に図示しないピンが挿入されて継ぎ金具１０及び工具ａが一体化される。なお、先に工具ａに継ぎ金具１０を接続し、次いで、継ぎ金具１０とアンカ１とを接続するようにしてもよい。
【００１３】
工具ａに継ぎ金具１０及びアンカ１が接続されたのち、アンカ１の先端がパイプ２０を立設する所定の位置に合わせられる。そして、アンカ１及び継ぎ金具１０がほぼ鉛直となるように工具ａが回転させられる。この回転により、アンカ１は、地面Ｇ中への埋設が開始される。アンカ１の埋設は、継ぎ金具１０の下部が地面Ｇの表面下となるまで行われる（図１（ａ）参照）。アンカ１の埋設が終了すると、角柱部１２のピン孔１２′及び角穴ａ′のピン孔ａ″に挿入されているピンが抜取られて工具ａが継ぎ金具１０から外される。
【００１４】
継ぎ金具１０から工具ａが外された後、その継ぎ金具１０にパイプ材２０が挿入されて立設され、一連の施工は終了となる。立設されたパイプ材２０には、図１（ａ）に示されるように、必要に応じて電線Ｌが引かれ、また、器具Ｂが取付けられる。
【００１５】
立設されたパイプ材２０を撤去するには、先ず、パイプ材２０が継ぎ金具１０から抜取られる。そして、その継ぎ金具１０の角柱部５に工具ａの角穴ａ′が挿入され、ピン（図示せず）で継ぎ金具１０と工具ａとが一体化される。その後、工具ａを上述の埋設時と反対方向に回転させられる。これにより、継ぎ金具１０及びアンカ１が地面Ｇから抜取られる。
【００１６】
図２（ａ）から（ｅ）は、立設するパイプ材２０のガタ付きを防止するようにした継ぎ金具の例である。同図（ａ）に示される継ぎ金具１０ａは、周囲に螺旋状の突条を設けたものであり、同図（ｂ）に示される継ぎ金具１０は、周囲の長手方向に直線状の突条を設けたものであり、同図（ｃ）に示される継ぎ金具１０ｃは、外形をテーパ状としたものであり、同図（ｄ）に示される継ぎ金具１０ｄは、段付きとしたものであり、また、同図（ｅ）に示される継ぎ金具１０ｅは周囲にゴム等の弾性材を設けたものである。なお、継ぎ金具１０ｄの段付きの場合は、パイプ２０の内径が異なるときにも対応することができる。さらに、弾性材の代わりに接着剤等の充填材を用いることもできる。
【００１７】
図２（ｆ）に示される継ぎ金具１０ｆは、上述の継ぎ金具がパイプ材２０を外側に挿入するものであるが、ここでは、内側に挿入できるようにしている。すなわち、この継ぎ金具１０ｆは、パイプ材からなりその下部がアンカ１の上部の外側に挿入されるとともに、その上部の内側にパイプ材２０が挿入されるように構成されている。この継ぎ金具１０ｆは、継ぎ金具１０ｆの上端近くまで地面（地中）Ｇに埋設されて安定化が図られる。
【００１８】
【発明の効果】
本発明の請求項１に記載の柱状物構造は、先端側に螺旋状の掘削刃を有する、地中に鉛直状に埋設されるアンカと、そのアンカの上端側に装着される棒状の継ぎ金具と、その継ぎ金具に装着される棒状体とからなるので、柱状物を極めて容易に、かつ、短時間で立設することができるので、災害復旧時の仮設電柱杭や工事現場の仮設電柱杭に好適なものとすることができる。また、使用後は、簡単に撤去することも可能である。
本発明の請求項２に記載の柱状物構造は、継ぎ金具に装着される棒状体をパイプ材とし、そのパイプ材は継ぎ金具に挿入して装着されるので、柱状物を容易に組立てることができる。
【図面の簡単な説明】
【図１】（ａ）は、一実施の形態に係る柱状物構造の斜視図であり、（ｂ）は、その分解斜視図である。
【図２】（ａ）〜（ｆ）は、継ぎ金具の他の例を示す斜視図である。
【符号の説明】
１　　　アンカ
１０　　　継ぎ金具
２０　　　パイプ材（棒状体）
ａ　　　工具
【図１】
2004084270.tif 000003
【図２】
2004084270.tif 000004